(57)【特許請求の範囲】
【請求項１】
一端が開口された円筒形状の容器部と、
前記容器部の開口された前記一端に結合される容器キャップと、
前記容器部の内部と外部とを連結するボタン流路が形成され、前記容器部の高さ方向に沿って移動できるように、前記容器キャップの他端側に設けられる押えボタンと、
前記容器部側に形成された収容孔を通じて前記容器部に連通する中間収容室を備え、前記容器キャップの高さ方向に沿って前記容器キャップに装着されるシリンダと、
前記押えボタンの押え操作時に前記中間収容室内の化粧品を前記ボタン流路を通じて排出し、前記押えボタンの押え操作解除時に前記容器部内の化粧品を前記収容孔を通じて前記中間収容室に流入させるポンピング部と、
前記押えボタンの上面に形成された挿入開口から延びる固定溝を有する固定柱部と、
マッサージ面を有するヘッド部と、前記ヘッド部から延びるように設けられた脚部とを有するマッサージ棒と、
を備え、
前記マッサージ棒は、前記脚部を前記固定溝に挿入され、前記固定柱部に固定され、
前記固定溝は、
前記挿入開口が形成され、内壁面の長手方向に沿って直線状の案内溝が形成される上部固定溝部と、
前記上部固定溝部に連通し、内壁面に略環状の固定凹溝が周方向に沿って形成された下部固定溝部と、
からなり、
前記脚部には、前記固定凹溝および前記案内溝と係合する略環状の固定突部および直線状の案内突部が形成されることを特徴とする、化粧品容器。
【請求項２】
前記ヘッド部の表面には、メッキ層が形成されていることを特徴とする、請求項１に記載の化粧品容器。
【請求項３】
前記案内溝は、前記上部固定溝部の内壁面の周方向にわたって形成され、
前記案内突部は、前記脚部の一部領域にのみ形成されることを特徴とする、請求項１に記載の化粧品容器。
【発明の詳細な説明】
【技術分野】
【０００１】
本発明は、化粧品容器に関し、より詳しくは、押えボタンの押え操作に連動したポンピング動作により液状化粧品を外部に排出させる構造を有する化粧品容器に関する。
【背景技術】
【０００２】
一般に、液状化粧品は容器に収容して販売され、使用者は収容された液状化粧品を少しずつ排出させて使用する。液状化粧品を容器から排出し易くするため、押えボタンの押え操作に連動したポンピング動作により、液状化粧品を外部に排出させる構造の化粧品容器が案出されて使用されている。
【０００３】
図９は、従来の化粧品容器の分解斜視図であり、図１０は、従来の化粧品容器の縦断面図である。
【０００４】
従来の化粧品容器は、図９および図１０に示すように、上向き開口された円筒形状の容器部１１１と、容器部１１１の上端に結合される容器キャップ１１２と、容器キャップ１１２を囲むように容器キャップ１１２の上端に結合された肩部１１３と、容器キャップ１１２の上側に配置される押えボタン１１４と、容器キャップ１１２に高さ方向に沿って装着されるシリンダ１１５と、シリンダ１１５と押えボタン１１４との間に介されたポンピング部１４０とを備える。
【０００５】
容器部１１１は、外容器１１１ｃと、外容器１１１ｃの内部に設けられた内容器１１１ｂと、内容器１１１ｂの内表面の下部領域に設けられた容器ピストン１１１ｅと、外容器１１１ｃの底面に結合された支え部１１１ｄとからなる。内容器１１１ｂには液状化粧品が収容される。また、内容器１１１ｂの上端側には、案内管部１１１ａが形成されている。
【０００６】
容器キャップ１１２には、内容器１１１ｂの案内管部１１１ａと係合する係合部が形成される。容器キャップ１１２の係合部と内容器１１１ｂの案内管部１１１ａとが係合することにより、容器キャップ１１２と内容器１１１ｂとが結合される。
【０００７】
押えボタン１１４は、内容器１１１ｂの内部と化粧品容器の外部とを連結する略Ｌ字形状のボタン流路１１４ａが形成されている。押えボタン１１４の下部側（容器部１１１側）には、管状の昇降フランジ１１４ｂおよびスプリング支持フランジ１１４ｃが形成されている。押えボタン１１４の昇降フランジ１１４ｂは、肩部１１３の内表面と接するように設けられる。これにより、押えボタン１１４は、容器部１１１の高さ方向に沿って移動可能となる。
【０００８】
シリンダ１１５の下部には、収容孔１１５ｂが形成されている。シリンダ１１５の内部空間である中間収容室１１５ａは、収容孔１１５ｂにより内容器１１１ｂと連通される。
【０００９】
ポンピング部１４０は、シリンダ１１５の内表面に内接する環状のポンピングピストン１４１と、押えボタン１１４の中央部に、容器部１１１の長手方向に延びるように形成された押圧管１４２と、収容孔１１５ｂに対応して設けられたバルブ体１４３と、スプリング支持フランジ１１４ｃと押圧管１４２との間の領域で押えボタン１１４と容器キャップ１１２に両端が支持されるように設けられた復帰スプリング１４４と、押圧管１４２とポンピングピストン１４１とに挿通された作動軸１４５とを有する。
【００１０】
バルブ体１４３は、開閉板１４３ａと、シリンダ１１５の内壁面に密接して設けられる支持壁１４３ｂと、支持壁１４３ｂと開閉板１４３ａとを連結する開閉アーム１４３ｃとからなる。開閉板１４３ａは、収容孔１１５ｂを閉鎖するように設けられる。このようなバルブ体１４３において、収容孔１１５ｂを通じて開閉板１４３ａに圧力が加えられると、開閉アーム１４３ｃにより開閉板１４３ａが上昇する。これにより、中間収容室１１５ａと容器部１１１の内部空間とが連通される。
【００１１】
作動軸１４５は、その内部に略Ｔ字形状の通過流路１４５ａが形成されている。通過流路１４５ａは、押えボタン１１４が上昇した状態でポンピングピストン１４１により閉鎖されるように形成される。作動軸１４５は、押圧管１４２と共に昇降できるように、押圧管１４２に結合されている。一方、作動軸１４５は、ポンピングピストン１４１とは結合されておらず、分離して移動可能に設けられる。
【００１２】
図１１および図１２に、このような構成を有するポンピング部１４０の動作を示す。図１１に示すように、まず、押えボタン１１４を下方向に押圧すると、通過流路１４５ａは中間収容室１１５ａと連通される。これにより、中間収容室１１５ａ内の液状化粧品は、通過流路１４５ａ、押圧管１４２、およびボタン流路１１４ａを順次に通過して外部に排出される。このとき、押えボタン１１４が下降する際、復帰スプリング１４４には弾性力が蓄積される。
【００１３】
次に、図１２に示すように、押えボタン１１４に対する押圧力を解除すると、復帰スプリング１４４に蓄積された弾性力により押えボタン１１４は原位置に上昇する。押えボタン１１４が上昇するとともに作動軸１４５も上昇し、通過流路１４５ａはポンピングピストン１４１により閉鎖される。そして、作動軸１４５が上昇すると中間収容室１１５ａに負圧が発生し、内容器１１１ｂ内の液状化粧品は、収容孔１１５ｂを通じて中間収容室１１５ａへ流入する。内容器１１１ｂ内の液状化粧品が中間収容室１１５ａへ流入する際、容器ピストン１１１ｅは上昇する。
【００１４】
このような構成を有する従来の化粧品容器に収容された液状化粧品を使用するには、使用者は、まず、押えボタン１１４を押えて容器部１１１内の液状化粧品を外部に排出させる。次いで、外部に排出された液状化粧品を手で目の周りなどの皮膚に塗布する。さらに、皮膚に塗布された液状化粧品を手で擦って皮膚に吸収させる。
【発明の開示】
【発明が解決しようとする課題】
【００１５】
しかし、従来の化粧品容器では、化粧品容器から排出された液状化粧品を手で擦って皮膚に吸収させなければならず、液状化粧品の皮膚吸収率が減少するという問題があった。さらに、液状化粧品を皮膚に吸収させる動作が不便であるという問題点があった。
【００１６】
そこで、本発明は、上記問題に鑑みてなされたものであり、本発明の目的とするところは、液状化粧品の皮膚吸収率を増加させ、液状化粧品を皮膚に吸収させる動作を行うのに便利な化粧品容器を提供することにある。
【課題を解決するための手段】
【００１７】
上記課題を解決するために、本発明のある観点によれば、一端が開口された円筒形状の容器部と、容器部の開口された一端に結合される容器キャップと、容器部の内部と外部とを連結するボタン流路が形成され、容器部の高さ方向に沿って移動できるように、容器キャップの他端側に設けられる押えボタンと、容器部側に形成された収容孔を通じて容器部に連通する中間収容室を備え、容器キャップの高さ方向に沿って容器キャップに装着されるシリンダと、押えボタンの押え操作時に中間収容室内の化粧品をボタン流路を通じて排出し、押えボタンの押え操作解除時に容器部内の化粧品を収容孔を通じて中間収容室に流入させるポンピング部と、押えボタンの上面に形成された挿入開口から延びる固定溝を有する固定柱部と、マッサージ面を有するヘッド部と、ヘッド部から延びるように設けられた脚部を有するマッサージ棒と、を備える化粧品容器が提供される。マッサージ棒は、脚部を固定溝に挿入され、固定柱部に固定されることを特徴とする
【００１８】
ここで、ヘッド部の表面には、金による皮膚改善効果が得られるように、メッキ層を形成することが好ましい。
【００１９】
また、固定溝は、挿入開口が形成され、内壁面の長手方向に沿って直線状の案内溝が形成される上部固定溝部と、上部固定溝部に連通し、内壁面に略環状の固定凹溝が周方向に沿って形成された下部固定溝部と、から構成することができる。ここで、脚部には、固定凹溝および案内溝と係合する略環状の固定突部および直線状の案内突部が形成される。これにより、マッサージ棒の固定溝に対する挿入固定状態を安定して維持できるようになる。
【００２０】
さらに、案内溝を上部固定溝部の内壁面の周方向にわたって形成し、案内突部を脚部の一部領域にのみ形成するようにしてもよい。これにより、マッサージ棒を容易に固定溝に挿入できるようになる。
【発明の効果】
【００２１】
以上説明したように本発明によれば、液状化粧品の皮膚吸収率を増加させ、液状化粧品を皮膚に吸収させる動作を行うのに便利な化粧品容器を提供することができる。
【発明を実施するための最良の形態】
【００２２】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２３】
まず、図１〜図５に基づいて、本発明の実施形態にかかる化粧品容器について説明する。なお、図１は、本実施形態にかかる化粧品容器の分解斜視図である。図２は、本実施形態にかかる化粧品容器の斜視図である。図３は、本実施形態にかかる化粧品容器の縦断面図である。図４は、図１に示すマッサージ棒および固定柱部の詳細図である。図５は、図１に示す作動軸の詳細図である。
【００２４】
本実施形態にかかる化粧品容器は、図１〜図３に示すように、上向き開口された円筒形状の容器部１１と、容器部１１の上端に結合される容器キャップ１２と、容器キャップ１２を囲むように容器キャップ１２の上端に結合された肩部１３と、容器キャップ１２の上側に配置される押えボタン１４と、押えボタン１４の上面の一部が突出するように形成された固定柱部２０と、固定柱部２０に固定されたマッサージ棒３０と、容器キャップ１２に高さ方向に沿って装着されるシリンダ１５と、シリンダ１５と押えボタン１４との間に介されたポンピング部４０とを有する。
【００２５】
容器部１１は、外容器１１ｃと、外容器１１ｃの内部に設けられた内容器１１ｂと、内容器１１ｂの内表面の下部領域に設けられた容器ピストン１１ｅと、外容器１１ｃの底面に結合された支え部１１ｄとからなる。内容器１１ｂには液状化粧品が収容される。また、内容器１１ｂの上端側には、案内管部１１ａが形成されている。
【００２６】
容器キャップ１２には、内容器１１ｂの案内管部１１ａと係合する係合部が形成される。容器キャップ１２の係合部と内容器１１ｂの案内管部１１ａとが係合することにより、容器キャップ１２と内容器１１ｂとが結合される。
【００２７】
押えボタン１４は、内容器１１ｂの内部と化粧品容器の外部とを連結する略Ｌ字形状のボタン流路１４ａが形成されている。押えボタン１４の下部側（容器部１１側）には、管状の昇降フランジ１４ｂおよびスプリング支持フランジ１４ｃが形成されている。押えボタン１４の昇降フランジ１４ｂは、肩部１３の内表面と接するように設けられる。これにより、押えボタン１４は容器部１１の高さ方向に沿って移動可能となる。
【００２８】
固定柱部２０には、その上面に挿入開口２１ｅ（図４参照）を備える固定溝２１が形成されている。固定溝２１は、図３に示すように、挿入開口２１ｅが形成された上部固定溝部２１ａと、上部固定溝部２１ａと連通する下部固定溝部２１ｂとからなる。上部固定溝部２１ａは、内壁面に上下方向に沿って直線状の案内溝２１ｃが形成されている。案内溝２１ｃは、例えば図４に示すように、上部固定溝部２１ａの内壁面の周方向にわたって複数形成されている。下部固定溝部２１ｂには、その内壁面の周方向に沿って形成された環状の固定凹溝２１ｄが形成されている。
【００２９】
マッサージ棒３０は、略球形状のヘッド部３１と、ヘッド部３１から延びるように設けられた脚部３２とを有する。ヘッド部３１は、その表面に例えばメッキ層が形成される。脚部３２は、その外表面に、環状の固定突部３２ｂと、脚部３２の延びる方向に沿って形成された直線状の案内突部３２ａとを備える。脚部３２の固定突部３２ｂおよび案内突部３２ａは、各々固定凹溝２１ｄおよび案内溝２１ｃに係合するように形成される。案内突部３２ａは２つのグループに分けて形成されており、これら案内突部３２ａの２つのグループは脚部３２の外表面において略対向する領域に形成される。
【００３０】
このような構成を有するマッサージ棒３０は、固定柱部２０に固定される。すなわち、まず、案内突部３２ａを案内溝２１ｃに沿って移動させ、脚部３２を上部固定溝部２１ａに挿入させる。次いで、固定突部３２ｂが固定凹溝２１ｄに係合するように、ヘッド部３１を下部固定溝部２１ｂの底面に向けて押圧する。これにより、マッサージ棒３０は、固定柱部２０に固定される。
【００３１】
シリンダ１５の下部には、収容孔１５ｂが形成されている。シリンダ１５の内部空間である中間収容室１５ａは、収容孔１５ｂにより内容器１１ｂに連通される。
【００３２】
ポンピング部４０は、シリンダ１５の内表面に内接する環状のポンピングピストン４１と、押えボタン１４の中央部に、容器部１１の長手方向に延びるように形成された押圧管４２と、収容孔１５ｂに対応して設けられたバルブ体４３と、スプリング支持フランジ１４ｃと押圧管４２との間の領域で押えボタン１４と容器キャップ１２に両端が支持されるように設けられた復帰スプリング４４と、押圧管４２とポンピングピストン４１とに挿通された作動軸４５とを有する。
【００３３】
バルブ体４３は、開閉板４３ａと、シリンダ１５の内壁面に密接して設けられる支持壁４３ｂと、支持壁４３ｂと開閉板４３ａとを連結する開閉アーム４３ｃとからなる。開閉板４３ａは、収容孔１５ｂを閉鎖するように設けられる。このような構成を有するバルブ体４３において、収容孔１５ｂを通じて開閉板４３ａに圧力が加えられると、開閉アーム４３ｃにより開閉板４３ａが上昇する。これにより、中間収容室１５ａと容器部１１の内部空間とが連通される。
【００３４】
作動軸４５は、図５に示すように、その内部に略Ｔ字形状の通過流路４５ａが形成されている。通過流路４５ａは、押えボタン１４が上昇した状態でポンピングピストン４１により閉鎖されるように形成される。作動軸４５は、押圧管４２と共に昇降できるように、押圧管４２に結合されている。一方、作動軸４５は、ポンピングピストン４１とは結合されておらず、分離して移動可能に設けられる。
【００３５】
このような構成を有するポンピング部４０は、図６および図７に示すように、従来の場合と同一の方法により作動する。すなわち、まず、押えボタン１４を下方向に押圧すると、通過流路４５ａは中間収容室１５ａと連通される。これにより、中間収容室１５ａ内の液状化粧品は、通過流路４５ａ、押圧管４２、およびボタン流路１４ａを順次に通過して外部に排出される。このとき、押えボタン１４が下降する際、復帰スプリング４４には弾性力が蓄積される。
【００３６】
次に、図７に示すように、押えボタン１４に対する押圧力を解除すると、復帰スプリング４４に蓄積された弾性力により押えボタン１４は原位置に上昇する。押えボタン１４が上昇するとともに作動軸４５も上昇し、通過流路４５ａはポンピングピストン４１により閉鎖される。そして、作動軸４５が上昇すると中間収容室１５ａに負圧が発生し、内容器１１ｂ内の液状化粧品は、収容孔１５ｂを通じて中間収容室１５ａへ流入する。内容器１１ｂ内の液状化粧品が中間収容室１５ａへ流入する際、容器ピストン１１ｅは上昇する。
【００３７】
このような構成を有する本実施形態にかかる化粧品容器に収容された液状化粧品を使用するには、図８に示すように、まず、押えボタン１４（例えば固定柱部２０の形成されていない部分）を押え、容器部１１内の液状化粧品を外部に排出させる。次いで、外部に排出された液状化粧品を手で目の周りなどの皮膚に塗布する。さらに、皮膚に塗布された液状化粧品をヘッド部３１により擦る。このように、ヘッド部３１を皮膚に擦る動作を行うことによって液状化粧品の吸収が促進される。
【００３８】
本実施形態によれば、押えボタン１４の上面に固定柱部２０を形成し、マッサージ棒３０を固定柱部２０に固定することにより、皮膚吸収率を増加させることができ、液状化粧品を皮膚に吸収させる動作を行うのが便利になる。
【００３９】
そして、ヘッド部３１にメッキ層を形成することによって、マッサージ効果と共に、金による皮膚改善効果（従来から知られているように、金は皮膚を白くし、皺を予防し、毛穴に隣接した老廃物を排出させる等の効果がある）を得ることができる。
【００４０】
また、固定柱部２０に案内溝２１ｃと固定凹溝２１ｄを形成し、マッサージ棒３０に固定凹溝２１ｄと案内溝２１ｃと係合する固定突部３２ｂと案内突部３２ａを形成することによって、マッサージ棒３０の固定溝２１に対する挿入固定状態を安定して維持することができる。また、案内溝２１ｃを上部固定溝部２１ａの内壁面の周方向にわたって形成し、案内突部３２ａを脚部３２の一領域に形成することによって、マッサージ棒３０を容易に固定溝２１に挿入することができる。
【００４１】
以上、本発明の実施形態にかかる化粧品容器について説明した。なお、固定柱部２０とマッサージ棒３０を除くポンピング部４０などの他の構成要素を変形して実施することは可能である。
【００４２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００４３】
【図１】本発明の実施形態にかかる化粧品容器の分解斜視図である。
【図２】同実施形態にかかる化粧品容器の斜視図である。
【図３】同実施形態にかかる化粧品容器の縦断面図である。
【図４】図１に示すマッサージ棒と固定柱部の詳細図である。
【図５】図１に示す作動軸の詳細図である。
【図６】図１に示すポンピング部の動作状態図である。
【図７】図１に示すポンピング部の動作状態図である。
【図８】同実施形態にかかる化粧品容器の使用方法を示す説明図である。
【図９】従来の化粧品容器の分解斜視図である。
【図１０】従来の化粧品容器の縦断面図である。
【図１１】図９に示すポンピング部の動作状態図である。
【図１２】図９に示すポンピング部の動作状態図である。
【符号の説明】
【００４４】
１１、１１１    容器部
１２、１１２    容器キャップ
１３、１１３    肩部
１４、１１４    押えボタン
１５、１１５    シリンダ
２０            固定柱部
３０            マッサージ棒
３１            ヘッド部
３２            脚部
４０、１４０    ポンピング部
【図１】
0004637189.tif 000002
【図２】
0004637189.tif 000003
【図３】
0004637189.tif 000004
【図４】
0004637189.tif 000005
【図５】
0004637189.tif 000006
【図６】
0004637189.tif 000007
【図７】
0004637189.tif 000008
【図８】
0004637189.tif 000009
【図９】
0004637189.tif 000010
【図１０】
0004637189.tif 000011
【図１１】
0004637189.tif 000012
【図１２】
0004637189.tif 000013